(57)【特許請求の範囲】
【請求項１】
複数回線と接続したファクシミリ装置において、
画情報を記憶する画情報メモリと、
前記画情報メモリに記憶されている画情報の宛先が複数存在し、該複数の宛先への送信が前記複数回線にまたがっている場合は、前記画情報の送信処理を代行する代行ジョブを前記回線別に作成する代行ジョブ作成手段と、
前記代行ジョブ毎に検索される共通の宛先情報を記憶する宛先情報記憶手段と、
前記代行ジョブ作成手段によって作成された代行ジョブ毎に、前記宛先情報記憶手段に記憶された宛先情報を検索するとともに、該宛先に画情報を送信することにより、複数の送信を並行で行う処理手段と、を備えていることを特徴とするファクシミリ装置。
【請求項２】
前記宛先情報を宛先毎のファイル形式で管理する宛先管理手段を備え、
前記宛先管理手段は、宛先毎のファイルで当該宛先についての再発呼開始時刻情報を管理していることを特徴とする請求項１に記載のファクシミリ装置。
【請求項３】
前記複数回線中に同一種の回線が複数あったときに、この同一種の回線間で前記宛先の数がほぼ均等になるように配分する均等配分手段を備えていることを特徴とする請求項１または２に記載のファクシミリ装置
【請求項４】
前記均等配分手段は、単一または複数の送信原稿についての複数の宛先を配分することを特徴とする請求項３に記載のファクシミリ装置。
【発明の詳細な説明】
【０００１】
【発明の属する技術分野】
この発明は、ファクシミリ装置に関する。
【０００２】
【従来の技術】
複数回線と接続したファクシミリ装置において、従来は、送信ファイルに対して１宛先ごとに順次送信処理を行っていた。そのため、複数回線に別宛先があっても、順次同報を行っていた。
【０００３】
【発明が解決しようとする課題】
しかし、前記従来技術では、複数回線があるにもかかわらず、ファクス送信の能率が悪いという不具合があった。
【０００４】
この発明の目的は、複数回線と接続したファクシミリ装置において、ファクス送信の能率を向上させることにある。
【０００５】
【課題を解決するための手段】
請求項１に記載の発明は、複数回線と接続したファクシミリ装置において、画情報を記憶する画情報メモリと、前記画情報メモリに記憶されている画情報の宛先が複数存在し、該複数の宛先への送信が前記複数回線にまたがっている場合は、前記画情報の送信処理を代行する代行ジョブを前記回線別に作成する代行ジョブ作成手段と、前記代行ジョブ毎に検索される共通の宛先情報を記憶する宛先情報記憶手段と、前記代行ジョブ作成手段によって作成された代行ジョブ毎に、前記宛先情報記憶手段に記憶された宛先情報を検索するとともに、該宛先に画情報を送信することにより、複数の送信を並行で行う処理手段と、を備えていることを特徴とするファクシミリ装置である。
【０００７】
請求項２に記載の発明は、請求項１に記載のファクシミリ装置において、前記宛先情報を宛先毎のファイル形式で管理する宛先管理手段を備え、前記宛先管理手段は、宛先毎のファイルで当該宛先についての再発呼開始時刻情報を管理していることを特徴とする。
【０００９】
請求項３に記載の発明は、請求項１または２に記載のファクシミリ装置において、前記複数回線中に同一種の回線が複数あったときに、この同一種の回線間で前記宛先の数がほぼ均等になるように配分する均等配分手段を備えていることを特徴とする。
【００１１】
請求項４に記載の発明は、請求項３に記載のファクシミリ装置において、前記均等配分手段は、単一または複数の送信原稿についての複数の宛先を配分することを特徴とする。
【００１４】
【発明の実施の形態】
［発明の実施の形態１］
図１は、この発明の実施の形態１であるファクシミリ装置のシステムの機能ブロック図である。このファクシミリ装置１は、ファクシミリ装置１全体を制御するシステム制御部（ＣＰＵ）１１と、各種制御プログラムなどを記憶するＲＯＭおよび書き換え可能にデータを記憶しシステム制御部１の作業エリアともなるＲＡＭからなるシステムメモリ２と、送信原稿の画像データを記憶する画情報メモリ３と、送信原稿の画像データを読み取る読取部４と、受信画像データを記録紙に出力する書込部５と、ユーザが各種操作を行うための操作部６と、符号化処理により画像データを圧縮、解凍するＤＣＲ７と、Ｇ３通信のデータの変復調を行うＧ３モデム８と、回線へのダイヤル発信やリンギングの検出を行うＮＣＵ９と、Ｇ３またはＧ４通信を行う通信ユニットで必要に応じて追加可能な増設ＣＣＵ１０と、を備えている。
【００１５】
図２は、このファクシミリ装置１の回線の接続状態を示すブロック図である。すなわち、この例では、ＰＳＴＮ網に接続してＧ３ファクシミリの通信を可能とする２本の回線、Ｇ３−１回線、Ｇ３−２回線が接続されている。また、ＩＳＤＮ網に接続してＧ４ファクシミリの通信を可能とするＧ４回線も１本接続されている。
【００１６】
次に、このような構成のファクシミリ装置１によるファクシミリの送信処理について図３のフローチャートを参照して説明する。
【００１７】
まず、ユーザは、操作部６により、送信モードや、電話番号、回線情報などの宛先情報を入力して所定のスタートキーを押下する（ステップＳ１のＹ）。すると、原稿の読み取りが開始し、画像データを画情報メモリ３に記憶する（ステップＳ２）。ユーザが入力した内容は、図４に示すように、ジョブファイル１２と、宛先ファイル１３の形式に記憶する（ステップＳ３）。ジョブファイル１２はユーザが登録した送信依頼に関する処理の手順を管理するファイルであり、宛先ファイル１３は、宛先情報を管理する宛先毎のファイルである。なお、ジョブファイル１２によりこの発明のジョブ管理手段を実施し、宛先ファイル１３によりこの発明の宛先管理手段を実施している。宛先ファイル１３に、Ｇ３−１，Ｇ３−２，Ｇ４とあるのは使用する回線の別を示しており、Ｇ３−空とあるのはＧ３ファクシミリの通信を可能とするＧ３−１回線またはＧ３−２回線であればどちらを使用してもよいことを示している。
【００１８】
次に、宛先ファイル１３をすべてチェックし、宛先（宛先ファイル１３）が複数あって、かつ、複数回線にまたがった送信か否かを判断する（ステップＳ４）。そして、宛先（宛先ファイル１３）が複数あって、かつ、複数回線にまたがった送信である場合は（ステップＳ４のＹ）、図５に示すように、送信処理を代行する代行ジョブファイル１４を回線別に作成する（ステップＳ５，Ｓ６）。これにより、この発明の代行ジョブファイル作成手段を実施している。宛先（宛先ファイル１３）が単数の場合や、複数あってもすべて単一の回線を用いて送信するものである場合には、代行ジョブファイル１４は作成せず、すべての宛先について通常の送信を行う（ステップＳ７，Ｓ８）。
【００１９】
次に、代行ジョブファイル１４が作成された場合に行われる処理について図６のフローチャートを参照して説明する。図５に示すように、各代行ジョブファイル１４は回線別に作成されていて、担当する回線が決められている。各代行ジョブファイル１４ごとに担当する宛先情報を宛先ファイル１３に検索し、担当する回線の宛先があれば（ステップＳ１１のＹ）、その回線の宛先について通信可能な状態かチェックし、通信可能であれば送信を実行する（ステップＳ１２）。これをすべての宛先について順次実行する。これにより、各代行ジョブファイル１４の処理は同時並行的に行なわれる。すなわち、通常の送信では、ジョブファイル１２、宛先ファイル１３のファイル構成は図４に示すようなものであり、この図４の例では、宛先ファイル１３を順次検索して、宛先：Ａ、宛先：Ｂ、宛先：Ｃ、宛先：Ｄの順に送信を行う。これに対して、図５に示す代行ジョブファイル１４を用いた送信では、Ｇ３−１代行ジョブファイル１４は宛先Ａへ、Ｇ３−２代行ジョブファイル１４は宛先Ｂへ、Ｇ４代行ジョブファイル１４は宛先Ｄへ、一斉に送信を開始する。これによりこの発明の処理手段を実施している。
【００２０】
以上のようにして、複数回線を用いて異なる宛名に送信原稿を同時並行的に送信することが可能となるので、ファクス送信の能率を向上することができる。
【００２１】
担当する回線のすべての宛先へ送信が終了したら、代行ジョブファイル１４はその結果を元のジョブファイル１２に反映して消去される。元のジョブファイル１２では代行ジョブファイル１４の終了状態を監視し、すべての代行ジョブファイル１４の処理が終了したら、従来からの通常の送信と同様に元のジョブファイル１２も終了する。
【００２２】
通常の送信では、ジョブファイル１２、宛先ファイル１３のファイル構成は図４に示すようなものであり、この図４の例では、宛先ファイル１３を順次検索して、宛先：Ａ、宛先：Ｂ、宛先：Ｃ、宛先：Ｄの順に送信を行う。
【００２３】
この場合に、Ｇ３回線であればＧ３−１でもＧ３−２でもどちらでもよいといった空回線指定の宛先ファイル１３（Ｇ３−空）は、Ｇ３−１代行ジョブファイル１４，Ｇ３−２代行ジョブファイル１４が検索して、先に当該宛先ファイル１３を見つけた方の代行ジョブファイル１４が送信を実行しようとする。しかし、Ｇ３−１代行ジョブファイル１４で送信したがビジーなどで中止したとき、その後すぐにＧ３−２代行ジョブファイル１４が検索して送信を行ってしまうと、通常は発呼間隔を保証しなければならないのに、発呼間隔を空けることができずに連続して送信してしまう不具合がある。
【００２４】
そこで、これを防止するため、各宛先ファイル１３ごとに再発呼開始時間情報を設定し、この再発呼時刻を経過していない宛先は送信を開始しないようにすることで、所定の発呼間隔をとって発呼することができる。
【００２５】
［発明の実施の形態２］
以下では、この発明の実施の形態２のファクシミリ装置１が、発明の実施の形態１のものと異なる点を中心に説明し、共通点については、図示、詳細な説明を省略する。
【００２６】
まず、この発明の実施の形態２のファクシミリ装置１では、宛先ファイル１３を図５に示すように代行ジョブファイル１４の共有とはせず、図７に示すように対応する回線別に作成している。この場合、Ｇ３回線であればＧ３−１でもＧ３−２でもどちらでもよいといった空回線指定の宛先ファイル１３（Ｇ３−空）は、Ｇ３−１回線でもＧ３−２回線でも送信が可能であるが、代行ジョブファイル１４作成時に対応する回線を決めてしまう（図７の例では、Ｇ３−１回線である）。このため、発明の実施の形態１の場合のように、各宛先ファイル１３ごとに再発呼開始時間情報を設定しなくても、同一の宛先ファイル１３について複数の代行ジョブファイル１４で送信を試みることは無いので、所定の発呼間隔をとって発呼することができる。
【００２７】
この場合に、Ｇ３−１回線とＧ３−２回線のように、ファクシミリ装置１に接続された複数回線中に同一種の回線が複数あったときに、単一または複数の送信原稿についての複数の宛先の数がほぼ均等になるように配分するようにすれば、最短時間ですべての宛先に送信原稿を送信することが可能となる。これによりこの発明の均等配分手段を実施している。
【００２８】
【発明の効果】
本発明は、複数回線を用いて異なる宛名に送信原稿を同時並行的に送信することが可能となるので、ファクス送信の能率を向上することができる。
【図面の簡単な説明】
【図１】この発明の実施の形態１であるファクシミリ装置のシステムの機能ブロック図である。
【図２】前記ファクシミリ装置の回線の接続状態を示すブロック図である。
【図３】前記ファクシミリ装置によるファクシミリの送信処理についてフローチャートである。
【図４】前記ファクシミリ装置におけるジョブファイルと宛先ファイルの構成を示すブロック図である。
【図５】前記ファクシミリ装置におけるジョブファイル，宛先ファイルおよび代行ジョブファイルの構成を示すブロック図である。
【図６】前記ファクシミリ装置における代行ジョブファイルが作成された場合に行われる処理についてのフローチャートである。
【図７】この発明の実施の形態２であるファクシミリ装置におけるジョブファイル，宛先ファイルおよび代行ジョブファイルの構成を示すブロック図である。
【符号の説明】
１      ファクシミリ装置
３      画情報メモリ
１２    ジョブ管理手段
１３    宛先管理手段
１４    代行ジョブファイル
【図１】
0003591768.tif 000002
【図２】
0003591768.tif 000003
【図３】
0003591768.tif 000004
【図４】
0003591768.tif 000005
【図５】
0003591768.tif 000006
【図６】
0003591768.tif 000007
【図７】
0003591768.tif 000008